(57)【特許請求の範囲】
【請求項１】
各住戸毎に、火災感知器と、該火災感知器を感知器回線を介して接続すると共に該火災感知器の遠隔作動試験を含む住戸点検時に外部試験器が接続される中継器と、前記中継器が前記火災感知器の発報を検出した場合に出力する作動信号を受信して自己のスピーカにより音声警報を行うと共に前記作動信号を受けて所定の遅延時間後に火災確定信号を中継器に出力する住戸用受信機と、該住戸用受信機側から送られてくる音声警報信号を出力するスピーカを備えた戸外表示器とを設け、管理人室等の中央に、前記中継器が前記住戸用受信機より火災確定信号を受けた場合に出力する火災信号を受信した際に出火住戸とその近隣住戸に対して地区音響制御信号及び音声警報信号を出力する住棟用受信機、及び共用部に配置され、前記住棟用受信機より出力される音声警報信号を各住戸に送る音声警報信号線に接続される共用部スピーカを設けた共同住宅用火災報知システムにあって、
前記外部試験器に、住戸点検時、試験開始操作を行った場合に前記中継器を介して前記住戸用受信機に試験中信号を出力し、前記火災感知器の試験が正常に終了した場合に前記中継器に試験正常終了信号を出力する回路部を設け、
前記中継器に、前記外部試験器より試験中信号を受けた場合に前記感知器回線を住戸用受信機側から外部試験器側に切換え接続して外部試験器からの前記火災感知器の遠隔作動試験を可能とし、試験正常終了信号を受けた場合に前記住戸用受信機に作動信号を出力し、該作動信号を出力した後前記住戸用受信機より火災確定信号を受けた場合に前記住棟用受信機に火災信号を出力する回路部を設け、前記住戸用受信機に、前記中継器経由で前記外部試験器からの試験中信号を受けることで、自己のスピーカによる音声警報及び前記遅延時間による遅延動作を禁止して、該試験中信号を受けている状態で前記中継器より作動信号を受けた場合に、音声警報を行わず、直ちに前記中継器に火災確定信号を出力するようにし、また、該試験中信号を受けている状態で、前記中継器より作動信号を受信し、且つ、前記住棟用受信機より出力される地区音響制御信号及び音声警報信号を検出することで、自己の音源で生成した音声警報信号を前記戸外表示器のスピーカから出力させる回路部を設け、前記住棟用受信機は、人間には聞こえない又は聞こえ難い疑似音声信号を出力する点検モードを備え、住戸点検時、該点検モードを設定することで前記音声警報信号に代えて該疑似音声信号を出力することにより前記共用スピーカから疑似音声を放音させることを特徴とする共同住宅用火災報知システム。
【請求項２】
前記疑似音声信号は、周波数が１０〜１００Ｈｚ程度の低周波又は２０ｋＨｚ程度の高周波であることを特徴とする請求項１記載の共同住宅用火災報知システム。
【請求項３】
前記住棟用受信機は、住戸点検時に設定する前記中継器から送られる火災信号を保持しない試験復旧モードを備え、住戸点検時に該試験復旧モードが設定されている状態では、前記中継器より火災信号が出力されている時間程度だけ地区音響制御信号及び音声警報信号を出力し、
前記外部試験器の回路部は、前記住戸用受信機が地区音響制御信号及び音声警報信号の夫々を検出する第１の検出時間より短い時間で試験正常終了信号を出力し、
前記中継器の回路部は、前記外部試験器より試験正常終了信号を受けた場合に、試験正常終了信号の出力時間程度だけ前記住戸用受信機に作動信号を出力し、該作動信号を出力した後前記住戸用受信機より火災確定信号を受けた場合に、該火災確定信号の出力時間程度だけ前記住棟用受信機に火災信号を出力し、
前記住戸用受信機の回路部は、前記中継器より試験中信号を受けることで、地区音響制御信号及び音声警報信号の夫々を検出する第１の検出時間を前記外部試験器より出力される試験正常終了信号の出力時間より短い第２の検出時間に変更し、該第２の検出時間への変更後、試験復旧モードが設定された前記住棟用受信機より出力される地区音響制御信号及び音声警報信号を検出することで、自己の音源で生成した音声警報信号を前記戸外表示器のスピーカから出力させることを特徴とする請求項１記載の共同住宅用火災報知システム。
【請求項４】
点検住戸近隣の住戸の前記住戸用受信機の回路部は、前記中継器経由で前記外部試験器からの試験中信号を受けておらず第１の検出時間であることから、住戸点検時試験復旧モードが設定された前記住棟用受信機より出力される地区音響制御信号及び音声警報信号を検出できないことを特徴とする請求項３記載の共同住宅用火災報知システム。
【請求項５】
管理人室等の中央に設けられる、火災信号を受信することで該火災信号を保持し、保持している間のみ出火住戸とその近隣住戸に対して地区音響制御信号及び音声警報信号を出力する住棟用受信機と、
各住戸毎に設けられる、
火災感知器と、
該火災感知器を感知器回線を介して接続し、火災確定信号を受けた場合に前記住棟用受信機に火災信号を出力する中継器と、
前記中継器が前記火災感知器の発報を検出した場合に出力する作動信号を受信した場合には、自己のスピーカにより音声警報を行うと共に前記作動信号を受けて所定の遅延時間後に火災確定信号を中継器に出力し、また前記中継器より出力される作動信号を受信していない状態で前記住棟用受信機より出力される地区音響制御信号及び音声警報信号の夫々を予め設定された第１の検出時間を超えることで検出した場合には、前記住棟用受信機より出力される音声警報信号を自己のスピーカから出力する住戸用受信機と、
該住戸用受信機側から送られてくる音声警報信号を出力するスピーカを備えた戸外表示器とを備えた共同用住宅用火災報知システムにあって、
前記火災感知器の遠隔作動試験を含む住戸点検時に前記中継器に接続し、試験開始操作を行った場合に前記中継器を介して前記住戸用受信機に試験中信号を出力し、前記火災感知器の試験が正常に終了した場合に前記中継器に試験正常終了信号を前記住戸用受信機が地区音響制御信号及び音声警報信号の夫々を検出する第１の検出時間より短い時間で出力する回路部を設けた外部試験器を有し、
前記中継器に、前記外部試験器より試験中信号を受けた場合に前記感知器回線を住戸用受信機側から外部試験器側に切換え接続して外部試験器からの前記火災感知器の遠隔作動試験を可能とし、試験正常終了信号を受けた場合に、試験正常終了信号の出力時間程度だけ前記住戸用受信機に作動信号を出力し、該作動信号を出力した後前記住戸用受信機より火災確定信号を受けた場合に、該火災確定信号の出力時間程度だけ前記住棟用受信機に火災信号を出力する回路部を設け、
前記住棟用受信機は、前記中継器から送られる火災信号を保持しない試験復旧モードと人間には聞こえない又は聞こえ難い疑似音声信号を出力する点検モードを備え、住戸点検時に該試験復旧モードと点検モードが設定されている状態では、前記中継器より火災信号が出力されている時間程度だけ地区音響制御信号及び音声警報信号に代えて疑似音声信号を出力し、
前記住戸用受信機に、前記中継器経由で前記外部試験器からの試験中信号を受けることで、地区音響制御信号及び音声警報信号の夫々を検出する第１の検出時間を前記外部試験器より出力される試験正常終了信号の出力時間より短い第２の検出時間に変更、自己のスピーカによる音声警報及び前記遅延時間による遅延動作を禁止して、
該試験中信号を受けている状態で前記中継器より作動信号を受けた場合に、音声警報を行わず、直ちに前記中継器に火災確定信号を作動信号の出力時間程度だけ出力するようにし、
前記第２の検出時間への変更後、試験復旧モード及び点検モードが設定された前記住棟用受信機より出力される地区音響制御信号及び疑似音声信号を検出することで、自己の音源で生成した音声警報信号を前記戸外表示器のスピーカから出力させる回路部を設けたことを特徴とする共同住宅用火災報知システム。
【発明の詳細な説明】
【０００１】
【発明の属する技術分野】
本発明は、住戸毎に火災感知器、中継器、住戸用受信機及び戸外表示器を設けて個別監視し、中央の管理人室等に住棟用受信機を設けて集中監視する共同住宅用火災報知システムに関する。
【０００２】
【従来の技術】
従来の共同住宅用火災報知システムにあっては、住戸内に設けられた火災感知器が発報すると、住戸内に設置している住宅情報盤（住戸用受信機）から管理人室等の中央に設置された防災情報を集中監視する住棟用受信機に火災信号が送られる。火災信号を受けた住棟用受信機は、例えば出火階及びその直上階の各住戸の住戸用受信機に地区音響制御信号及び音声警報信号を送り、住戸用受信機やドアホン（戸外表示器）のスピーカを鳴動させる。また同時に住棟用受信機は、出火階及びその直上階に設置されている共用部スピーカを鳴動させて火災発生を報知する。
【０００３】
図５はこのような従来の共同住宅用火災報知システムの一例の構成を示すブロック図である。この図に示す共同住宅用火災報知システムには、住棟用受信機１と中継器３との間に自火報総合盤２が設けられ、自火報総合盤２は警戒区域毎に例えば各階毎に配置される。この自火報総合盤２にはリレーＢＦ，ＢＮ，スピーカ７等が設けられており、リレーＢＦ，ＢＮは住棟用受信機１からの地区音響制御信号Ｅ６で作動する。この場合、リレーＢＮの作動により、リレー接点ｂnが閉じると、自火報総合盤２のスピーカ７に住棟用受信機１からの音声警報信号Ｅ７が供給されるようになる。またリレーＢＦの作動によりリレー接点ｂfが閉じると、住棟用受信機１からの音声警報信号Ｅ７が自火報総合盤２を介して戸外表示器５及び共用部スピーカ６に供給されるようになり、さらに自火報総合盤２、中継器３を介して住戸用受信機４にも供給されるようになる。地区音響制御信号Ｅ６は自火報総合盤２に供給されると共に自火報総合盤２から中継器３を介して住戸用受信機４と戸外表示器５に供給される。
【０００４】
中継器３には、感知器回線１１ａ，１１ｂを介して自己復旧型の火災感知器１０，１０が並列接続されており、この自己復旧型の火災感知器１０，１０は、火災による熱や煙などを検出することで、感知器回線１１ａ，１１ｂ間に発報電流を流す。この発報電流が中継器３に出力されると、中継器３内の受信回路１２の受信リレーＬが作動し、そのリレー接点ｌを閉じて感知器作動信号（以下、単に「作動信号」という）Ｅ１が住戸用受信機４に出力される。また、この受信リレーＬの作動と同時に保持リレー回路１３の保持リレーＭも作動して、そのリレー接点ｍ1，ｍ2を閉じて、火災信号の出力許容状態及び作動信号Ｅ１の保持許容状態が作り出される。
【０００５】
住戸用受信機４では、中継器３より作動信号Ｅ１が入力されると、受信回路１４の受信リレーＲが作動し、例えば１０秒間継続して作動すると、作動信号Ｅ１の受信状態が保持されると共に保持リレーＨが作動し、そのリレー接点ｈが閉じて、中継器３に対し「Ｌ」レベルとなる保持信号Ｅ２が出力される。この保持信号Ｅ２が出力されると、中継器３ではリレー接点ｆ2を介して保持回路１７が作動し、保持リレー回路１３の保持リレーＭを火災感知器１０が復旧しても非作動とならないように保持する。また保持回路１７は、同時に戸外表示器５に対する供給電圧を＋１２Ｖから火災信号Ｅ８となる＋２４Ｖに変化させて火災表示を行わせる。戸外表示器５の検出回路１９は火災信号Ｅ８となる＋２４Ｖを検出して表示灯２０を点滅させる。住戸用受信機４は、中継器３より作動信号Ｅ１を入力することで、自己の音声合成部２７を起動し、火災感知器１０の作動を示すメッセージを合成し、アンプ２８で増幅した後、リレー接点ｄｃを介してスピーカ２６から出力する。
【０００６】
また、住戸用受信機４では、中継器３より作動信号Ｅ１が送られてきた時から２〜５分の範囲内の所定時間の監視が行われる。すなわち、作動信号Ｅ１が入力されると、受信リレーＲが作動すると同時に、２〜５分の遅延時間Ｔ１が設定されているタイマ１５が起動し、このタイマ１５がタイムアップすると、リレー接点ｔ1が開き、有電圧信号が遮断されることで火災確定信号Ｅ３が中継器３に出力される。住戸用受信機４は、火災確定信号Ｅ３を出力する際に、音声合成部２７で火災発生を示すメッセージを合成し、アンプ２８で増幅した後、リレー接点ｄｃを介してスピーカ２６から出力する。住戸用受信機４より火災確定信号Ｅ３が出力されることで有電圧信号が遮断されると、中継器３では、フォトカプラ２１の出力が「Ｌ」レベルから「Ｈ」レベルになり、インバータ２２で「Ｌ」レベルに反転されて出力されることで、この時点で既にリレー接点ｍ2は閉じられて出力許容状態となっていることから、火災確定移報リレーＳに電流が流れ作動する。火災確定移報リレーＳが作動すると、リレー接点ｓ1が閉じて「Ｌ」レベルとなる火災信号Ｅ４が火報信号線２３を介して住棟用受信機１へ出力される。またリレー接点ｓ2が閉じて、住棟用受信機１からの確認信号Ｅ５の受信可能状態が作り出される。
【０００７】
住棟用受信機１では、中継器３からの火災信号Ｅ４を火報信号線２３を介して受けることで、火災代表表示及び地区表示が行われる。また同時に火災代表リレー（図示略）を作動すると共に、対応する地区リレー（図示略）が作動する。火災代表リレーの作動によりそのリレー接点ｆaが閉じ、中継器３に対し確認信号線２４を介して確認信号Ｅ５が出力される。住棟用受信機１より確認信号Ｅ５が出力されると、中継器３ではリレーＦが作動し、そのリレー接点ｆ1を閉じて、既に閉じているリレー接点ｍ1との直列回路により住戸用受信機４に対する作動信号Ｅ１の出力状態が継続保持される。またリレー接点ｆ2が開くことで住戸用受信機４からの保持信号Ｅ２の入力が切り離され、中継器３の保持回路１７の保持動作が住棟用受信機１からの確認信号Ｅ５により行われる。
【０００８】
更に住棟用受信機１にあっては、図示せぬ地区リレーの作動により、近隣住戸、具体的には火災発生階及びその直上階の住戸に対し地区音響制御信号Ｅ６を出力する。この火災発生階及びその直上階の住戸に対する地区音響制御信号Ｅ６は住戸用受信機４及び戸外表示器５に与えられ。この際、出火住戸以外の近隣の住戸用受信機４にあっては、地区音響制御信号Ｅ６によりフォトカプラ２５のフォトトランジスタがオンしてリレーＢが作動し、リレー接点ｂを開くことでリレーＤＣが不作動になり、そのリレー接点ｄｃが音声警報信号線９側に切り換わりスピーカ２６が接続され、音声警報信号線９からの音声警報信号Ｅ７の入力が可能となる。また、出火住戸の戸外表示器５にあっては、検出回路１９で火災信号Ｅ８を検出している状態で、地区音響制御信号Ｅ６を受けることでリレーＪが作動し、このリレーＪの作動でリレー接点ｊ１，ｊ２が切り換わり、スピーカ２９が音声警報信号線９に接続され、音声警報信号Ｅ７の入力が可能となる。
【０００９】
住棟用受信機１では、地区音響制御信号Ｅ６の出力と共に音声合成部３０が起動して生成された音声信号がアンプ３１で増幅された後、音声警報信号線９に音声警報信号Ｅ７として出力される。これにより、住戸での火災の場合、出火階及びその直上階の自火報総合盤２のスピーカ７、共用部スピーカ６、出火階及びその直上階の出火住戸以外の各住戸の住戸用受信機４のスピーカ２６及び出火住戸の戸外表示器５のスピーカ２９に住棟用受信機１からの音声警報信号Ｅ７が供給され、例えば「ウーウー、火事です、火事です。１階で火災が発生しました。安全を確認して避難してください。」などの出火場所を含む音声メッセージの警報出力が行われる。
【００１０】
なお、出火住戸の住戸用受信機４にあっては、自住戸での火災であるにも関わらず出火場所を含む音声メッセージをスピーカ２６から出力するのは矛盾することにもなるので、住戸用受信機４では、作動信号Ｅ１を受信することで受信リレーＲが作動するが、その際、地区音響制御信号線８に設けられるリレー接点ｒが開くことで地区音響制御信号Ｅ６の入力を禁止させている。また、出火住戸以外の全ての戸外表示器５にあっては、一斉に音声メッセージが出力されると音声メッセージが逆に聞き取り難く、且つどの住戸が火災なのかが外部から判かり難いことから音声メッセージの出力を禁止している。
【００１１】
【発明が解決しようとする課題】
ところで、近年消防法の規格改正があり、共同住宅用の自動火災報知設備において、居住者が留守の場合を考慮して、住戸外からでも火災感知器の遠隔作動試験ができることが規定された。
図５に示したような従来の共同住宅用の火災報知システムにおいて、住戸外から火災感知器の遠隔作動試験をする構成を適用しようとした場合、住戸外に設置する中継器３に、火災感知器１０を遠隔作動試験するための外部試験器を接続することで、感知器回線１１ａ，１１ｂを外部試験器側に切り換えて、その状態で火災感知器１０に試験信号を送出して火災感知器１０を一個ずつ作動試験させて、外部試験器で試験の結果を確認する方式が考えられる。また、この火災感知器１０の遠隔作動試験の際に、火災感知器１０の作動試験だけでなく、住棟用受信機１との連動試験を含む住戸全体の総合的な点検（住戸点検）をすることが望まれる。
【００１２】
しかしながら、図５に示したような従来の共同住宅用の火災報知システムでこのような住戸点検を適用した場合には、外部試験器による火災感知器１０の遠隔作動試験により、住棟用受信機１が中継器３より火災信号Ｅ４を受信すると、地区音響制御信号Ｅ６及び音声警報信号Ｅ７が出火階とその直上階の住戸に対し送られるため、出火階及び直上階の自火報総合盤２のスピーカ７、共用部スピーカ６、出火階及びその直上階の出火住戸即ち点検住戸以外の住戸用受信機４のスピーカ２６、点検住戸の戸外表示器５のスピーカ２９から、住棟用受信機１より出力された音声警報信号が出力されてしまうことになり、在宅者に無用な動揺をおこさせる問題があった。また、このシステムにあっては、点検住戸の住戸用受信機４のスピーカ２６からは音声警報信号Ｅ７が出力されないようになっているため、外部試験器を接続して点検を行っている住戸の住戸用受信機４に確実に地区音響制御信号Ｅ６及び音声警報信号Ｅ７が届いているのか点検時に確認できないという問題点があった。
【００１３】
本発明は上述した事情に鑑みてなされたもので、在宅者に無用な動揺をおこさせることなく住戸点検を行うことができ、また地区音響制御信号線と音声警報信号線の点検も含めた総合的な点検を同時に行うことができる共同住宅用火災報知システムを提供することを目的としている。
【００１４】
【課題を解決するための手段】
上記目的達成のため、請求項１記載の発明による共同住宅用火災報知システムは、各住戸毎に、火災感知器と、該火災感知器を感知器回線を介して接続すると共に該火災感知器の遠隔作動試験を含む住戸点検時に外部試験器が接続される中継器と、前記中継器が前記火災感知器の発報を検出した場合に出力する作動信号を受信して自己のスピーカにより音声警報を行うと共に前記作動信号を受けて所定の遅延時間後に火災確定信号を中継器に出力する住戸用受信機と、該住戸用受信機側から送られてくる音声警報信号を出力するスピーカを備えた戸外表示器とを設け、管理人室等の中央に、前記中継器が前記住戸用受信機より火災確定信号を受けた場合に出力する火災信号を受信した際に出火住戸とその近隣住戸に対して地区音響制御信号及び音声警報信号を出力する住棟用受信機、及び共用部に配置され、前記住棟用受信機より出力される音声警報信号を各住戸に送る音声警報信号線に接続される共用部スピーカを設けた共同住宅用火災報知システムにあって、
前記外部試験器に、住戸点検時、試験開始操作を行った場合に前記中継器を介して前記住戸用受信機に試験中信号を出力し、前記火災感知器の試験が正常に終了した場合に前記中継器に試験正常終了信号を出力する回路部を設け、
前記中継器に、前記外部試験器より試験中信号を受けた場合に前記感知器回線を住戸用受信機側から外部試験器側に切換え接続して外部試験器からの前記火災感知器の遠隔作動試験を可能とし、試験正常終了信号を受けた場合に前記住戸用受信機に作動信号を出力し、該作動信号を出力した後前記住戸用受信機より火災確定信号を受けた場合に前記住棟用受信機に火災信号を出力する回路部を設け、前記住戸用受信機に、前記中継器経由で前記外部試験器からの試験中信号を受けることで、自己のスピーカによる音声警報及び前記遅延時間による遅延動作を禁止して、該試験中信号を受けている状態で前記中継器より作動信号を受けた場合に、音声警報を行わず、直ちに前記中継器に火災確定信号を出力するようにし、また、該試験中信号を受けている状態で、前記中継器より作動信号を受信し、且つ、前記住棟用受信機より出力される地区音響制御信号及び音声警報信号を検出することで、自己の音源で生成した音声警報信号を前記戸外表示器のスピーカから出力させる回路部を設け、前記住棟用受信機は、人間には聞こえない又は聞こえ難い疑似音声信号を出力する点検モードを備え、住戸点検時、該点検モードを設定することで前記音声警報信号に代えて該疑似音声信号を出力することにより前記共用スピーカから疑似音声を放音させることを特徴とする。
【００１５】
この構成によれば、外部試験器による火災感知器の遠隔作動試験時に、住棟用受信機が中継器より出力された火災信号を受信すると、地区音響制御信号及び音声警報信号を出火住戸とその近隣の住戸に対して送るが、出火住戸即ち点検住戸の住戸用受信機の回路部は、中継器より既に試験中信号を受けている状態で試験正常終了による作動信号とを受けているので、住棟用受信機より送られてくる地区音響制御信号及び音声警報信号を検出することで、自己の音源で戸外表示器のスピーカからのみ警報を出力させる。また、住棟用受信機を点検モードに設定すると、通常の音声警報信号に代わって人間には聞こえない又は聞こえ難い疑似音声信号が出力される。
【００１６】
したがって、外部試験器による火災感知器の遠隔作動試験時に、点検住戸の火災感知器が正常であれば、その点検住戸の戸外表示器からのみ警報が出力されるので、在宅者に無用な動揺をおこさせることがなく、点検者に住戸点検の結果を報知することができる。
また、住戸用受信機が地区音響制御信号と音声警報信号を検出することで、点検住戸の戸外表示器のスピーカから警報を出力させることから、地区音響制御信号線及び音声警報信号線の点検も含めた総合的なシステム試験も同時に行うことができる。
また、通常の音声警報信号に代わって人間には聞こえない又は聞こえ難い疑似音声信号が出力されるので、音声警報信号を各住戸に送るための音声警報信号線に接続される共用部スピーカの鳴動は聞こえない又は聞こえ難いので、在宅者や廊下等の共用部にいる人に無用な動揺をおこさせることがない。
請求項２記載の発明による共同住宅用火災報知システムは、前記疑似音声信号は、周波数が１０〜１００Ｈｚ程度の低周波又は２０ｋＨｚ程度の高周波であることを特徴とする。
【００１７】
請求項３記載の発明による共同住宅用火災報知システムは、前記住棟用受信機は、住戸点検時に設定する前記中継器から送られる火災信号を保持しない試験復旧モードを備え、住戸点検時に該試験復旧モードが設定されている状態では、前記中継器より火災信号が出力されている時間程度だけ地区音響制御信号及び音声警報信号を出力し、前記外部試験器の回路部は、前記住戸用受信機が地区音響制御信号及び音声警報信号の夫々を検出する第１の検出時間より短い時間で試験正常終了信号を出力し、前記中継器の回路部は、前記外部試験器より試験正常終了信号を受けた場合に、試験正常終了信号の出力時間程度だけ前記住戸用受信機に作動信号を出力し、該作動信号を出力した後前記住戸用受信機より火災確定信号を受けた場合に、該火災確定信号の出力時間程度だけ前記住棟用受信機に火災信号を出力し、前記住戸用受信機の回路部は、前記中継器より試験中信号を受けることで、地区音響制御信号及び音声警報信号の夫々を検出する第１の検出時間を前記外部試験器より出力される試験正常終了信号の出力時間より短い第２の検出時間に変更し、該第２の検出時間への変更後、試験復旧モードが設定された前記住棟用受信機より出力される地区音響制御信号及び音声警報信号を検出することで、自己の音源で生成した音声警報信号を前記戸外表示器のスピーカから出力させることを特徴とする。
【００１８】
この構成によれば、住戸用受信機の回路部は、外部試験器より試験中信号を受けることで、地区音響制御信号と音声警報信号の夫々を検出するための第１の検出時間を、火災感知器の試験が正常に終わった時に外部試験器より出力される試験正常終了信号の出力時間より短い第２の検出時間に変更するので、試験復旧モードが設定された住棟用受信機より試験正常終了信号の出力時間と略同じ時間だけ地区音響制御信号及び音声警報信号が出力されても、これらを検出することができる。
したがって、点検住戸の住戸用受信機の回路部は、地区音響制御信号及び音声警報信号を検出できるため、自己の音源で戸外表示器のスピーカからのみ警報を出力する。
【００１９】
請求項４記載の発明による共同住宅用火災報知システムは、点検住戸近隣の住戸の前記住戸用受信機の回路部は、前記中継器経由で前記外部試験器からの試験中信号を受けておらず第１の検出時間であることから、住戸点検時試験復旧モードが設定された前記住棟用受信機より出力される地区音響制御信号及び音声警報信号を検出できないことを特徴とする。
この構成によれば、住戸用受信機の回路部は、外部試験器より試験中信号を受けていなければ、地区音響制御信号と音声警報信号の夫々を検出するための第１の検出時間が通常時のまま即ち試験正常終了信号の出力時間より長くなっているので、住棟用受信機より地区音響制御信号及び音声警報信号が出力されてもこれらを検出することができない。
したがって、点検住戸以外の近隣住戸の住戸用受信機の回路部は、地区音響制御信号及び音声警報信号を検出できないため、自己のスピーカからも戸外表示器のスピーカからも警報を出力しない。
【００２２】
請求項５記載の発明による共同住宅用火災報知システムは、管理人室等の中央に設けられる、火災信号を受信することで該火災信号を保持し、保持している間のみ出火住戸とその近隣住戸に対して地区音響制御信号及び音声警報信号を出力する住棟用受信機と、各住戸毎に設けられる、火災感知器と、該火災感知器を感知器回線を介して接続し、火災確定信号を受けた場合に前記住棟用受信機に火災信号を出力する中継器と、前記中継器が前記火災感知器の発報を検出した場合に出力する作動信号を受信した場合には、自己のスピーカにより音声警報を行うと共に前記作動信号を受けて所定の遅延時間後に火災確定信号を中継器に出力し、また前記中継器より出力される作動信号を受信していない状態で前記住棟用受信機より出力される地区音響制御信号及び音声警報信号の夫々を予め設定された第１の検出時間を超えることで検出した場合には、前記住棟用受信機より出力される音声警報信号を自己のスピーカから出力する住戸用受信機と、該住戸用受信機側から送られてくる音声警報信号を出力するスピーカを備えた戸外表示器とを備えた共同用住宅用火災報知システムにあって、前記火災感知器の遠隔作動試験を含む住戸点検時に前記中継器に接続し、試験開始操作を行った場合に前記中継器を介して前記住戸用受信機に試験中信号を出力し、前記火災感知器の試験が正常に終了した場合に前記中継器に試験正常終了信号を前記住戸用受信機が地区音響制御信号及び音声警報信号の夫々を検出する第１の検出時間より短い時間で出力する回路部を設けた外部試験器を有し、前記中継器に、前記外部試験器より試験中信号を受けた場合に前記感知器回線を住戸用受信機側から外部試験器側に切換え接続して外部試験器からの前記火災感知器の遠隔作動試験を可能とし、試験正常終了信号を受けた場合に、試験正常終了信号の出力時間程度だけ前記住戸用受信機に作動信号を出力し、該作動信号を出力した後前記住戸用受信機より火災確定信号を受けた場合に、該火災確定信号の出力時間程度だけ前記住棟用受信機に火災信号を出力する回路部を設け、前記住棟用受信機は、前記中継器から送られる火災信号を保持しない試験復旧モードと人間には聞こえない又は聞こえ難い疑似音声信号を出力する点検モードを備え、住戸点検時に該試験復旧モードと点検モードが設定されている状態では、前記中継器より火災信号が出力されている時間程度だけ地区音響制御信号及び音声警報信号に代えて疑似音声信号を出力し、前記住戸用受信機に、前記中継器経由で前記外部試験器からの試験中信号を受けることで、地区音響制御信号及び音声警報信号の夫々を検出する第１の検出時間を前記外部試験器より出力される試験正常終了信号の出力時間より短い第２の検出時間に変更、自己のスピーカによる音声警報及び前記遅延時間による遅延動作を禁止して、該試験中信号を受けている状態で前記中継器より作動信号を受けた場合に、音声警報を行わず、直ちに前記中継器に火災確定信号を作動信号の出力時間程度だけ出力するようにし、前記第２の検出時間への変更後、試験復旧モード及び点検モードが設定された前記住棟用受信機より出力される地区音響制御信号及び疑似音声信号を検出することで、自己の音源で生成した音声警報信号を前記戸外表示器のスピーカから出力させる回路部を設けたことを特徴とする。
【００２３】
この構成によれば、
外部試験器による火災感知器の遠隔作動試験時に、点検住戸以外の近隣住戸では、住戸用受信機のスピーカ及び戸外表示器のスピーカのいずれからも警報が出力されず、点検住戸の戸外表示器のスピーカからのみ警報が出力されるので、在宅者に無用な動揺をおこさせることがなく、点検者に住戸点検の結果を報知することができる。また、点検住戸の住戸用受信機が地区音響制御信号と音声警報信号を検出することで、点検住戸の戸外表示器のスピーカから警報を出力させることから、地区音響制御信号線及び音声警報信号線の点検も含めた総合的なシステム試験も同時に行うことができる。また、火災感知器の遠隔作動試験時に、住棟用受信機を点検モードに設定することで、住棟用受信機からは通常の音声警報信号に代わって人間には聞こえない又は聞こえ難い疑似音声信号を出力するので、音声警報信号線に共用部スピーカを接続していても、該共用部スピーカの鳴動は聞こえない又は聞こえ難いので、在宅者や廊下等の共用部にいる人に無用な動揺をおこさせることがない。
【００２４】
【発明の実施の形態】
以下、本発明の実施の形態を図面例と共に説明する。
図１は本発明に係る共同住宅用火災報知システムの実施の形態の構成を示すブロック図、図２はその詳細な構成を示すブロック図、図３は中継器と住戸用受信機と戸外表示器の更に詳細な構成を示すブロック図、図４は実施の形態の共同住宅用火災報知システムの動作の要点を示す図である。なお、図１〜図３において、前述した図５と共通する部分には同一の符号を付けている。
この実施の形態の共同住宅用火災報知システムは、外部試験器４０による火災感知器１０の遠隔作動試験（住戸点検）時に中継器５０より火災信号Ｅ４が出力され、これによって住棟用受信機６０より出力される地区音響制御信号と音声警報信号を検出した場合、点検住戸の戸外表示器８０のみ住戸用受信機７０の制御によって表示灯２０を点滅させると共に住戸用受信機７０の音源によってスピーカ２９から警報を出力させるものである。
【００２５】
住戸用受信機７０は、中継器５０に外部試験器４０が接続されて、中継器５０経由で試験中信号Ｅ９が出力されると、試験中と判断し、この試験中信号を受けている状態で、火災感知器１０の遠隔作動試験が正常に終わることにより、外部試験器４０から出力される試験正常終了信号を受けることで中継器５０から出力される作動信号Ｅ１を受け、火災確定信号Ｅ３を出力後、住棟用受信機６０より地区音響制御信号と音声警報信号とが送られてくることを検出した場合、戸外表示器８０の表示灯２０を点滅駆動させると共に自己の音源で戸外表示器８０のスピーカ２９を鳴動させる。また、この外部試験器４０による火災感知器１０の遠隔作動試験（住戸点検）時に、住棟用受信機６０に点検モードを設定しておくことで、住棟用受信機６０より人間には聞こえない又は聞こえ難い音声信号（以下疑似音声信号という）を出力させる。この疑似音声信号としては、例えば１０〜１００Ｈｚの低周波又は２０ｋＨｚ程度の高周波で、波形は正弦波、三角波、矩形波等が好適である。この疑似音声信号を用いることで、共用部スピーカ６からは人間には聞こえない又は聞こえ難い音声が出力される。
【００２６】
したがって、外部試験器４０による火災感知器１０の遠隔作動試験（住戸点検）時には、点検住戸の戸外表示器８０のスピーカ２９からのみ警報が出力されるので、在宅者に無用な動揺をおこさせることがなく、点検者に住戸点検の結果を報知することができる。また、点検住戸の住戸用受信機７０が地区音響制御信号と音声警報信号を検出することにより、点検住戸の戸外表示器８０のスピーカ２９から警報を出力させることから、地区音響制御信号線ＥＡと音声警報信号線ＫＰ−ＫＰＣの点検も含めて、システムの総合的な点検を行うことができる（即ち火災感知器１０、中継器５０、住棟用受信機６０、住戸用受信機７０、戸外表示器８０のうちの一つでも異常であれば戸外表示器８０のスピーカ２９は鳴動しない）。また、この際、音声警報信号線ＫＰ−ＫＰCに直接共用部スピーカ６が接続されてあって、住棟用受信機６０に点検モードを設定しておくことにより、共用部スピーカ６からは疑似音声信号が出力されるので、共用部スピーカ６の鳴動は聞こえない又は聞こえ難いため、在宅者や廊下等の共用部にいる人に無用な動揺をおこさせることがない。
なお、この実施の形態の共同住宅用火災報知システムでは、図５に示した自火報総合盤２を有していないが、自火報総合盤２を設けた場合でもそのスピーカ７（図５参照）からは擬似音声信号が出力されることは言うまでもない。
【００２７】
以下、図２及び図３を参照して共同住宅用火災報知システムの構成及び動作について説明する。
（Ｉ）共同住宅用火災報知システムの構成
（ａ）中継器５０の構成
図２において、中継器５０は、遠隔作動試験機能付き火災感知器１０の発報を検出する発報検出回路９０と、この発報検出回路９０と火災感知器１０との間に介挿され、外部試験器４０による火災感知器１０の遠隔作動試験（住戸点検）時に、感知器回線１１ａ，１１ｂを外部試験器４０側へ切り換える接点ｓt1と、閉状態とすることで住戸用受信機７０へ試験中信号Ｅ９を出力する接点ｓt2と、住戸用受信機７０からの火災確定信号Ｅ３を検出する火災確定検出回路９３と、火災感知器１０の発報検出時及び外部試験器４０から所定の短い時間例えば２秒間出力される試験正常終了を示すｏｋ信号の検出時に閉状態とする接点９４と、この接点９４に直列に介挿される発報抵抗９５と、発報検出かつ火災確定信号検出時に閉状態とする接点９６と、この接点９６に直列に介挿される住棟発報抵抗９７と、接点９６と住棟発報抵抗９７の直列回路に並列接続される住棟終端抵抗９８と、発報検出回路９０、火災確定検出回路９３及び外部試験器４０からの試験正常終了を示すｏｋ信号（試験正常終了信号）の監視や接点９４，９６の開閉制御等中継器全体の監視制御を行うＣＰＵ回路９９と、２４Ｖ脈流の地区音響制御信号を平滑して１２Ｖの定電圧を生成しＦＶ信号として出力するＦＶ信号出力回路１００と、住棟用受信機６０より供給される２４Ｖを１４Ｖと３．２Ｖの定電圧に降圧する定電圧回路１０１と、外部試験器４０からの試験中信号Ｅ９により作動する接点ｓt1、ｓt2を備えるリレーＳＴとを備えて構成されている。尚、ＦＶ信号は、住棟用受信機６０から出力される２４Ｖ脈流の地区音響制御信号を平滑して１２Ｖレベルに変換しただけのものであり、都合上ＦＶ信号としているが、地区音響制御信号である。
【００２８】
（ｂ）住棟用受信機６０の構成
住棟用受信機６０は、２４Ｖ定電圧を生成し、中継器５０、火災感知器１０へ供給する２４Ｖ定電圧回路１１０と、中継器５０からの火災信号Ｅ４を受信し、対応する制御を行う火災受信制御回路１１１と、地区音響鳴動時に閉状態となる接点１１２と、地区音響を鳴動させる地区に対応して閉状態となる複数個の接点１１３1，１１３2，… ，１１３n（この図では接点１１３1のみ示している）と、火災受信制御回路１１１からの移報信号に基づいて音声警報信号を出力する音声警報ユニット１１４と、点検時に操作設定する試験復旧スイッチ１１５ａなど各種操作を行うためのスイッチを備える操作部１１５と、音声警報ユニット１１４に点検モードを設定するための点検モードスイッチ１１６とを備えて構成されている。
【００２９】
住戸点検時に、試験復旧スイッチ１１５ａをオンすることで、火災受信制御回路１１１は火災信号Ｅ４を保持しない試験復旧モードを設定し、火災信号Ｅ４を受信している間のみ対応する制御出力等を行う。また、点検モードスイッチ１１６をオンすると、音声警報ユニット１１４は点検モードに移行し、火災受信制御回路１１１にて火災信号Ｅ４が受信された時に出力される移報信号に基づいて音声警報ユニット１１４は疑似音声信号を出力する。複数個の区分鳴動用の接点１１３1，１１３2，… ，１１３nは、共同住宅の各階に対応して設けられており、それぞれから各階に向けて地区音響制御信号線ＥＡ1，ＥＡ2，…，ＥＡnが引き出されて各階の中継器５０に接続されている。なお、この場合、各階を一区分とするものであるが、各階を例えば二区分とすると、各階毎に２個の接点１１３を対応させることになる。
【００３０】
図２に示す接点１１３1からは、１階用の地区音響制御信号線ＥＡ1が引き出されており、その地区音響制御信号線ＥＡ1に１階の各住戸に設けられる各中継器５０が接続されている。因みに接点１１３2からは２階用の地区音響制御信号線ＥＡ2が引き出されており、その地区音響制御信号線ＥＡ2に２階の各住戸に設けられる各中継器５０が接続されている。そして、例えば１階で火災が発生した時には、接点１１２及び出火階である１階とその直上階である２階に対応する接点１１３1，１１３2が閉状態となるように制御され、１階と２階の各住戸の中継器５０に地区音響制御信号線ＥＡ1，ＥＡ2を介して地区音響制御信号が送られる。音声警報ユニット１１４からも地区音響制御信号線ＥＡ1，ＥＡ2，… ，ＥＡnと同様に各階向けて音声警報信号線ＫＰ1−ＫＰＣ1，ＫＰ2−ＫＰＣ2，… ，ＫＰn−ＫＰＣnが引き出されて各階の中継器５０に接続されている。図２に示す音声警報信号線ＫＰ1−ＫＰＣ1には１階の各戸に設けられる各中継器５０が接続されている。因みにＫＰ2−ＫＰＣ2には２階の各住戸に設けられる各中継器５０が接続されている。そして、例えば１階で火災が発生した時には１階と２階の各住戸の中継器５０に音声警報信号が送られる。
【００３１】
（ｃ）住戸用受信機７０の構成
住戸用受信機７０は、火災確定時に開状態にして火災確定信号Ｅ３を中継器５０に送るための接点１２０と、中継器５０からの作動信号Ｅ１を受信する火災受信部１２１と、中継器５０を介して外部試験器４０から出力される試験中信号Ｅ９を検出する試験中信号検出部１２２と、中継器５０からの地区音響制御信号となるＦＶ信号を検出するＦＶ信号検出部１２３と、音声警報信号を出力する音声信号出力回路１２５と、住棟用受信機６０からの音声警報信号を検出する音声信号検出回路１２６と、音声信号出力回路１２５からの音声警報信号と住棟用受信機６０からの音声警報信号との切り換えを行う接点１２７と、スピーカ２６と、戸外表示器２０の表示灯２０を点滅させる表示灯制御回路１２８（図３参照）とを備えて構成されている。上記火災受信部１２１、試験中信号検出部１２２及びＦＶ信号検出部１２３は、図３に示すようにマイコン１３０によって実現されている。また、この住戸用受信機７０では、ＦＶ信号検出部１２３と音声信号検出回路１２６の検出時間が通常時と住戸点検時とで変更できるようになっている。ＦＶ信号検出部１２３では、通常時に例えば４秒（第１の検出時間）に設定され、住戸点検時に例えば０．１秒（第２の検出時間）に設定される。音声信号検出回路１２６では、通常時に例えば３秒（第１の検出時間）に設定され、住戸点検時に例えば０．１秒（第２の検出時間）に設定される。
【００３２】
ここで、図３を参照して住戸用受信機７０の構成の詳細について説明する。
住戸用受信機７０内部のＦＶ信号経路上に直列に接点１３１が介挿されており、またこの接点１３１より出力側にはリレーＲＹ１３２が並列に介挿されている。またリレーＲＹ１３２より出力側には戸外表示器８０の表示灯２０を駆動する表示灯制御回路１２８が設けられている。リレーＲＹ１３１は、通電時、住戸用受信機７０に電源が供給されることで作動し、停電等で電源が供給されなくなると不作動となる。したがって、その接点１３１はリレーＲＹ１３１の作動状態でａ点側にあり、ＦＶ信号経路を開状態、不作動状態でｂ点側に切り換わり、ＦＶ信号経路を閉状態とする。
【００３３】
一方、住戸用受信機７０内部の音声警報信号経路上には、直列にかつ信号線側と接地線側の双方に切替式のリレーＲＹ１３２の接点１３２1，１３２2が介挿されており、これら接点１３２1，１３２2は、リレーＲＹ１３２が不作動の間、
即ち通電時、ｂ点側にあり、戸外表示器８０のスピーカ２９を住戸用受信機７０の音声信号出力回路１２５に接続し、リレーＲＹ１３１の不作動によりその接点１３１がｂ点側に切り換わるとＦＶ信号によりリレーＲＹ１３２が作動すると、ａ点側に切り換わり、戸外表示器８０のスピーカ２９を音声警報信号線ＫＰ−ＫＰＣに接続する。住戸用受信機７０内のスピーカ２６は、切換え式のリレーＲＹ１２７の接点１２７1，１２７2によって音声信号出力回路１２５又は音声警報信号線ＫＰ−ＫＰＣのいずれか一方に接続される。
【００３４】
リレーＲＹ１２７は、通常時住戸用受信機７０に電源が供給されることで作動するため、その接点１２７1，１２７2はａ点側にあり、スピーカ２６を音声信号出力回路１２５に接続する。音声信号出力回路１２５は、マイコン１３０からの起動信号、音声警報信号を出力するスピーカ２６、２９を選択する出力ポート選択信号を受けることで、起動して所定のメッセージを合成して、選択された出力ポート、即ちスピーカへ出力する。音声信号検出回路１２６は音声警報信号線ＫＰ−ＫＰＣ上の音声信号の検出を行うもので、音声信号を検出するとその旨をマイコン１３０に通知する。表示灯制御回路１２８は、通常時は戸外表示器８０の表示灯２０を点灯し、実際に火災が発生した時や外部試験器４０による戸外点検時にマイコン１３０からの指令によって点滅させる。
【００３５】
（Ｉ）共同住宅用火災報知システムの動作
以下、本実施の形態の共同住宅用火災報知システムの動作について説明する。なお、図４は本実施の形態の共同住宅用火災報知システムの動作の要点を示す図である。
（イ）火災時
（ａ）出火住戸での動作
自住戸で火災が発生して火災感知器１０が発報すると、その発報が中継器５０の発報検出回路９０で検出され、ＣＰＵ回路９９に通知される。ＣＰＵ回路９９は火災感知器１０が発報した通知を受けると、接点９４を閉じて作動信号Ｅ１を住戸用受信機７０に出力する。中継器５０より出力された作動信号Ｅ１を住戸用受信機７０のマイコン１３０の火災受信部１２１が受けると、表示灯制御回路１２８を制御させて戸外表示器８０の表示灯２０を点滅させると共に、音声信号出力回路１２５を動作させて住戸用受信機７０のスピーカ２６から火災感知器作動メッセージを出力させる。
【００３６】
また、火災受信部１２１は作動信号Ｅ１を受けることで、火災確認をするための時間例えば２〜５分が設定された遅延タイマ（図示略）を起動させる。そして、この遅延タイマの起動後の２〜５分の間に復旧スイッチ（図示略）が操作されたか否かの判定が行われ、この間に復旧スイッチが操作されなければ、遅延タイマはタイムアップされ、接点１２０を開いて中継器５０に火災確定信号Ｅ３を出力する。また同時に音声信号出力回路１２５を動作させて住戸用受信機７０のスピーカ２６から火災作動メッセージを出力させると共に、戸外表示器８０のスピーカ２９からも火災作動メッセージを出力させる。なお、この場合、住戸用受信機７０のリレーＲＹ１２７は電源投入時に作動するので、電源投入時にその接点１２７1，１２７2はａ点側に切り換わり、スピーカ２６が音声信号出力回路１２５に接続された状態になる。また、住戸用受信機７０のリレーＲＹ１３１も電源投入時に作動するため、その接点１３１はａ点側に切り換わってＦＶ信号経路を開いた状態になる。
【００３７】
住戸用受信機７０より出力された火災確定信号Ｅ３を中継器５０の火災確定検出回路９３が受けると、その旨をＣＰＵ回路９９に通知する。ＣＰＵ回路９９は発報検出回路９０から火災感知器１０の発報通知を受けている状態で火災確定信号Ｅ３を受信した旨の通知を受けると、接点９６を閉じて火災信号Ｅ４を住棟用受信機６０に出力する。そして、中継器５０からの火災信号Ｅ４を住棟用受信機６０の火災受信制御回路１１１が検出すると、火災信号を保持し、更に地区音響鳴動用の接点１１２を閉じると共に、例えば出火階である１階とその直上階である２階に対応する接点１１３1，１１３2を閉じて地区音響制御信号線ＥＡ1，ＥＡ2に地区音響制御信号を出力する。また火災受信制御回路１１１は音声警報ユニット１１４に火災代表信号、火災地区信号、地区音響鳴動代表信号で構成される移報信号を出力する。
【００３８】
音声警報ユニット１１４は、この移報信号を受けることで、出火階である１階とその直上階である２階に対応する音声警報信号線ＫＰ1−ＫＰＣ1，ＫＰ2−ＫＰＣ2に音声警報信号を出力する。そして、住棟用受信機６０より出力された地区音響制御信号（２４Ｖの脈流）は中継器５０のＦＶ信号出力回路１００でＦＶ信号（１２Ｖの直流）に変換されて住戸用受信機７０に出力される。住戸用受信機７０に出力された地区音響制御信号であるＦＶ信号は、住戸用受信機７０のマイコン１３０のＦＶ信号検出部１２３で検出される。また、音声警報信号は、音声検出回路２６で検出される。この際、マイコン１３０は既に作動信号Ｅ１を受けているので、ＦＶ信号及び音声警報信号を検出しても何もしない。すなわち、住戸用受信機７０のスピーカ２６及び戸外表示器８０のスピーカ２９から継続して火災作動メッセージを出力すると共に、戸外表示器８０の表示灯２０を継続して点滅させる。
【００３９】
（ｂ）近隣住戸（出火住戸以外の出火階住戸及び直上階住戸）での動作
上述したように、出火住戸の住戸用受信機７０では、マイコン１３０の火災受信部１２１は中継器５０より作動信号Ｅ１を受けているので、音声警報信号及びＦＶ信号が送られてきても何もしない。これに対して、近隣住戸の住戸用受信機７０では、マイコン１３０の火災受信部１２１は中継器５０より作動信号Ｅ１を受けないので、音声警報信号及び地区音響制御信号が変換されたＦＶ信号が送られてきて、そのうちの音声警報信号が音声検出回路１２６で検出され、ＦＶ信号がＦＶ信号検出部１２３で検出されると、リレーＲＹ１２７を不作動にしてその接点１２７1，１２７2をｂ点側に切り換え、スピーカ２６を音声警報信号線ＫＰ−ＫＰＣに接続する。これにより、住棟用受信機６０から出力された音声警報信号が近隣住戸の住戸用受信機７０のスピーカ２６から出力される。この際、出火住戸が１階の住戸であれば、１階に布設された音声警報信号線ＫＰ1−ＫＰＣ1と２階に布設された音声警報信号線ＫＰ2−ＫＰＣ2に音声警報信号が出力され、１階の出火住戸以外の各住戸と２階の各住戸の住戸用受信機７０のスピーカ２６から音声警報が出力される。またこの際、マイコン１３０は音声信号出力回路１２５を動作させないので、戸外表示器８０のスピーカ２９からは警報は出力されない。尚、通常時にあっては、ＦＶ信号検出部１２３及び音声信号検出回路１２６の検出時間は第１の検出時間、例えば４秒及び３秒が設定されているが、住棟用受信機６０は火災信号を自己保持し、第１の検出時間よりも長い時間、地区音響制御信号及び音声警報信号を出力するため、両信号は検出される。
【００４０】
（ロ）住戸点検時（外部試験器４０による火災感知器１０の遠隔作動試験を含めたシステム的な総合点検）
点検者は、住戸点検する前に予め以下の設定を行う。
▲１▼住棟用受信機６０の点検モードスイッチ１１６をオン操作して音声警報ユニット１１４を点検モードに設定する。即ち、疑似音声信号を出力するようにする。
▲２▼住棟用受信機６０の試験復旧スイッチ１１５ａをオン操作して火災信号Ｅ４を保持しない試験復旧モードを設定する。即ち、住棟用受信機６０に火災信号Ｅ４が出力されたときのみ地区音響鳴動用の接点１１２と区分鳴動用の接点１１３1，１１３2，… ，１１３nの制御及び音声警報ユニット１１４の制御を行うようにする。
【００４１】
（ａ）点検住戸での動作
上記設定を行った後、外部試験器４０を中継器５０に接続して試験開始操作を行うと、外部試験器４０は、中継器５０に試験中信号Ｅ９を出力して中継器５０のリレーＳＴを作動させる。中継器５０のリレーＳＴが作動すると、その接点ｓt1が外部試験器４０側に切り換わり、感知器回線１１ａ，１１ｂが外部試験器４０に接続され、外部試験器４０からの火災感知器１０の遠隔作動試験を可能とする。またリレーＳＴが作動することで接点ｓt2が閉じて試験中信号Ｅ９が住戸用受信機７０に出力される。試験中信号Ｅ９は住戸用受信機７０のマイコン１３０の試験中信号検出部１２２にて検出され、マイコン１３０は試験中信号Ｅ９を検出すると、▲１▼スピーカ２６での警報禁止、▲２▼試験を早く終わらせるために２〜５分の遅延タイマの起動禁止、▲３▼ＦＶ信号検出部１２３のＦＶ信号検出時間と音声信号検出回路１２６の音声警報信号検出時間の短縮を設定する。ＦＶ信号検出時間と音声警報信号検出時間とは、ＦＶ信号、音声警報信号が送られてきたことを確定するための時間であり、この時間を超えて地区音響制御信号であるＦＶ信号、音声警報信号が送られてくると、ＦＶ信号検出部１２３はＦＶ信号を検出し、音声信号検出回路１２６は音声警報信号を検出する。この場合、ＦＶ信号検出時間は通常時には例えば４秒（第１の検出時間）に設定され、住戸点検時には例えば０．１秒（第２の検出時間）に短縮して設定される。また音声警報信号検出時間は通常時には例えば３秒（第１の検出時間）に設定され、住戸点検時には例えば０．１秒（第２の検出時間）に短縮して設定される。
【００４２】
外部試験器４０は、中継器５０に試験中信号Ｅ９を出力した後、感知器回線１１ａ，１１ｂを介して火災感知器１０に試験信号を出力し、その際の疑似発報状態から試験状態を確認する。この場合、各火災感知器１０に対してアドレス指定を行って一つずつ試験信号を出力して全てについて試験状態を確認する。そして、全ての火災感知器１０について試験が正常に終了したと判断すると、外部試験器４０は中継器５０に試験正常終了を示すｏｋ信号を送出する。ｏｋ信号は例えば２秒間出力される。ｏｋ信号の出力時間は、住戸用受信機７０が作動信号Ｅ１を自己保持しない時間等を考慮して設定される。中継器５０のＣＰＵ回路９９がｏｋ信号を取り込むと、その時間だけ、即ち２秒間程度だけ接点９４を閉じて住戸用受信機７０に作動信号Ｅ１を出力する。そして、この作動信号Ｅ１を住戸用受信機７０の火災受信部１２１が取り込むとマイコン１３０は、直ちに接点１２０を開いて火災確定信号Ｅ３を中継器５０に出力する。火災確定信号Ｅ３は、作動信号Ｅ１を受信している時間だけ、即ち、２秒間程度だけ出力される。火災確定信号Ｅ３を中継器５０の火災確定検出回路９３が検出すると、その旨をＣＰＵ回路９９に通知する。ＣＰＵ回路９９は火災確定信号Ｅ３が検出された旨の通知を受けると、接点９６を閉じて住棟用受信機６０に火災信号Ｅ４を送出する。火災信号Ｅ４は、火災確定信号Ｅ３の出力時間２秒間程度だけ、即ち、ｏｋ信号の送出時間と略同じ時間送出される。
【００４３】
中継器５０より送出された火災信号Ｅ４を住棟用受信機６０の火災受信制御回路１１１が取り込むと、地区音響鳴動用の代表接点１１２を閉じると共に、例えば出火階である１階とその直上階である２階に対応する接点１１３1，１１３2を閉じて地区音響制御信号線ＥＡ1，ＥＡ2に地区音響制御信号を出力する。また火災受信制御回路１１１は音声警報ユニット１１４に火災地区信号等の移報信号を出力する。音声警報ユニット１１４は、この移報信号を受けることで、出火階である１階とその直上階である２階に対応する音声警報信号線ＫＰ1−ＫＰＣ1，ＫＰ2−ＫＰＣ2に疑似音声信号を出力する。この際、住棟用受信機６０は、試験復旧モードを設定していることから、火災信号Ｅ４が送出される時間例えば２秒間程度だけ地区音響制御信号及び疑似音声信号を出力することになる。
【００４４】
住棟用受信機６０より出力された地区音響制御信号即ち２４Ｖの脈流は、中継器５０のＦＶ信号出力回路１００でＦＶ信号即ち１２Ｖ直流に変換されて住戸用受信機７０に出力される。また住棟用受信機６０より出力された音声警報信号は中継器５０を介して住戸用受信機７０に出力される。この場合、外部試験器４０のｏｋ信号の出力期間が上述したように２秒間であるので、ＦＶ信号も略同じ２秒間出力されることになる。この際、住戸用受信機７０のマイコン１３０のＦＶ信号検出部１２３のＦＶ信号検出時間は０．１秒（第２の検出時間）に設定されていることから、ＦＶ信号検出部１２３は地区音響制御信号であるＦＶ信号を検出する。また、音声警報信号も略２秒間出力され、そして住戸用受信機７０の音声信号検出回路１２６の音声警報信号検出時間も０．１秒（第２の検出時間）に設定されていることから、音声信号検出回路１２６は疑似音声信号を検出する。
【００４５】
マイコン１３０は、試験中信号Ｅ９を受けている状態で、作動信号Ｅ１を受信し、且つＦＶ信号検出部１２３でＦＶ信号が検出され、音声信号検出回路１２６で音声警報信号が検出されると、自己の音源である音声信号出力回路１２５を起動させて戸外表示器８０のスピーカ２９のみ選択して音声警報を出力させると共に、表示灯制御回路１２８を制御して戸外表示器８０の表示灯２０を点滅させる。点検者は、スピーカ２９から出力される音声警報を聞くことで、地区音響制御信号及び音声警報信号線の点検も含めた総合的なシステム試験が正常に終了したことが確認することができる。また、この場合、疑似音声信号を出力することで、図１に示すように、共用部スピーカ６が音声警報信号線ＫＰ−ＫＰＣに接続してあっても、住戸点検時に共用部スピーカ６からは人間には聞こえない又は聞こえ難い警報が出力されるので、在宅者や廊下等の共用部にいる人に無用な迷惑をかけることなく住戸点検を行うことができる。
尚、第２の検出時間、例えば０．１秒は、地区音響制御信号及び音声警報信号の出力時間、例えば２秒より十分短いことから、システム間で両信号の出力時間が短くなるようなことがあっても確実に検出することができる。
【００４６】
（ｂ）近隣住戸（出火住戸以外の出火階住戸及び直上階住戸）での動作
近隣住戸の住戸用受信機６０のマイコン１３０は、中継器５０より試験中信号Ｅ９を受けていないので、ＦＶ信号検出部１２３のＦＶ検出時間と音声信号検出回路１２６の音声警報信号検出時間の変更を行っておらず、ＦＶ検出時間は４秒（第１の検出時間）に設定されたままであり、また音声警報信号検出時間は３秒（第１の検出時間）に設定されたままである。このため、ＦＶ信号検出部１２３は２秒間程度しか送られて来ないＦＶ信号を検出することができず、また音声信号検出回路１２６も２秒間程度しか送られて来ない音声警報信号を検出することができない。したがって、マイコン１３０は何もしない。すなわち、近隣住戸の住戸用受信機７０のスピーカ２６からも戸外表示器８０のスピーカ２９からも警報は出力されない。勿論、戸外表示器８０の表示灯２０は点滅しない。したがって、近隣住戸の在宅者に無用な迷惑をかけることがない。
【００４７】
このように、この実施の形態では、外部試験器４０による火災感知器１０の遠隔作動試験時に、中継器５０経由で試験中信号Ｅ９が出力されると、住戸用受信機７０は試験中と判断し、スピーカ２６での警報を行わず、また２〜５分の遅延タイマの起動を禁止し、更に地区音響制御信号となるＦＶ信号の検出時間を通常時の４秒（第１の検出時間）から住戸点検時の０．１秒（第２の検出時間）に変更すると共に、音声警報信号検出時間を通常時の３秒（第１の検出時間）から住戸点検時の０．１秒（第２の検出時間）に変更する。その後、火災感知器１０の遠隔作動試験が正常に終わって外部試験器４０から試験正常終了を示すｏｋ信号が約２秒間出力されると、中継器５０から作動信号Ｅ１が出力され、この作動信号Ｅ１を住戸用受信機７０が取り込むと、直ちに火災確定信号Ｅ３を出力する。
【００４８】
そして、この火災確定信号Ｅ３を中継器５０が取り込むことで火災信号Ｅ４が出力され、そしてこの火災信号Ｅ４を試験復旧モードが設定された住棟用受信機６０が取り込むことで、ｏｋ信号出力時間と同じ時間（約２秒）だけ地区音響制御信号と音声警報信号とが出力される。点検住戸の住戸用受信機７０はＦＶ信号検出時間と音声警報信号検出時間とを０．１秒（第２の検出時間）に設定しているので、住棟用受信機６０からの地区音響制御信号と音声警報信号とを受けることができる。すなわち、住戸用受信機７０は、試験中信号Ｅ９、作動信号Ｅ１、地区音響制御信号及び音声警報信号の４つの要素を検出することを条件に、これにより戸外表示器８０の表示灯２０を点滅させると共に自己の音源により戸外表示器８０のスピーカ２９を鳴動させる。
【００４９】
点検住戸即ち疑似出火住戸以外の出火階住戸及びその直上階住戸の住戸用受信機７０は、当然ながら試験中信号Ｅ９が来ないので、ＦＶ信号検出時間は通常時の４秒（第１の検出時間）に設定されたままであり、また音声警報信号検出時間は通常時の３秒（第１の検出時間）に設定されたままである。このため、住戸用受信機７０は、住棟用受信機６０より地区音響制御信号と音声警報信号とが出力されても、これらの出力時間がｏｋ信号と同じ約２秒間であるので、ＦＶ信号と音声警報信号とを検出することができず、戸外表示器８０の表示灯２０を点滅させることも戸外表示器８０のスピーカ２９を鳴動させることもしない。
また、外部試験器４０による火災感知器１０の遠隔作動試験時には、住棟用受信機６０を点検モードに設定することから、住棟用受信機６０は、火災信号Ｅ４を取り込むことで、通常の音声警報信号に代わって人間には聞こえない又は聞こえ難い疑似音声信号を出力させる。
【００５０】
したがって、外部試験器４０による火災感知器１０の遠隔作動試験時に、点検住戸以外の近隣住戸では、住戸用受信機７０のスピーカ２６及び戸外表示器８０のスピーカ２９のいずれからも警報は出力されず、点検住戸の戸外表示器８０のスピーカ２９からのみ音声警報が出力されるので、在宅者に無用な動揺をおこさせることがなく、点検者は点検結果を確認することができる。また、住戸用受信機７０が地区音響制御信号と音声警報信号を検出することにより、点検住戸の戸外表示器８０のスピーカ２９から警報を出力させることから、地区音響制御信号線ＥＡと音声警報信号線ＫＰ−ＫＰＣの点検も含めて、システムの総合的な点検を行うことができる（即ち火災感知器１０、中継器５０、住棟用受信機６０、住戸用受信機７０、戸外表示器８０のうちの一つでも異常であれば戸外表示器８０のスピーカ２９は鳴動しない）。また、この際、音声警報信号線ＫＰ−ＫＰCに直接共用部スピーカ６を接続してあっても、住棟用受信機６０に点検モードを設定しておくことにより、疑似音声信号が出力されるので、共用部スピーカ６の鳴動は、聞こえない又は聞こえ難いので、在宅者や廊下等の共用部にいる人に無用な動揺をおこさせることがない。
【００５１】
尚、この実施の形態では、図５に示した自火報総合盤２を有していないが、自火報総合盤２を設けた場合でもそのスピーカ７（図５参照）からは擬似音声信号が出力されることは言うまでもない。
また、この実施の形態では、住棟用受信機６０からの地区音響制御信号を中継器５０のＦＶ信号出力回路１００で平滑定電圧化してＦＶ信号として出力したが、そのまま地区音響制御信号を出力しても良い。
【００５２】
【発明の効果】
以上説明したように本発明によれば、外部試験器による火災感知器の遠隔作動試験時に、点検住戸以外の近隣住戸では、住戸用受信機のスピーカ及び戸外表示器のスピーカのいずれからも警報が出力されず、点検住戸の戸外表示器のスピーカからのみ警報が出力されるので、在宅者に無用な動揺をおこさせることがない。また、点検住戸の住戸用受信機が地区音響制御信号と音声警報信号を検出することで、自己の音源により戸外表示器のスピーカから警報を出力させることから、点検者は地区音響制御信号線及び音声警報信号線の点検も含めた総合的なシステム試験の結果を確認することができる。また、火災感知器の遠隔作動試験時に、住棟用受信機を点検モードに設定することで、住棟用受信機からは通常の音声警報信号に代わって人間には聞こえない又は聞こえ難い疑似音声信号を出力するので、音声警報信号線に共用部スピーカを接続してあっても、該共用部スピーカの鳴動は、聞こえない又は聞こえ難いので、在宅者や廊下等の共用部にいる人に無用な動揺をおこさせることがない。
【図面の簡単な説明】
【図１】本発明に係る共同住宅用火災報知システムの実施の形態の構成を示すブロック図である。
【図２】実施の形態の共同住宅用火災報知システムの詳細な構成を示すブロック図である。
【図３】実施の形態の共同住宅用火災報知システムの住戸用受信機の詳細な構成を示すブロック図である。
【図４】実施の形態の共同住宅用火災報知システムの動作の要点を示す図である。
【図５】従来の共同住宅用火災報知システムの構成を示すブロック図である。
【符号の説明】
６  共用部スピーカ
１０  火災感知器
２０  表示灯
２６、２９  スピーカ
４０  外部試験器
５０  中継器
６０  住棟用受信機
７０  住戸用受信機
８０  戸外表示器
９０  発報検出回路
９３  火災確定検出回路
９４，９６，ｓt1，ｓt2  接点
９９  ＣＰＵ回路
１００  ＦＶ信号出力回路
１１１  火災受信制御回路
１１４  音声警報ユニット
１１５  操作部
１１５ａ  試験復旧スイッチ
１１６  点検モードスイッチ
１２１  火災受信部
１２２  試験中信号検出部
１２３  ＦＶ信号検出部
１２５  音声信号出力回路
１２６  音声検出回路
１２８  表示灯制御回路
１３０  マイコン
ＥＡ  地区音響制御信号線
ＫＰ−ＫＰＣ  音声警報信号線
【図１】
0003863667.tif 000002
【図２】
0003863667.tif 000003
【図３】
0003863667.tif 000004
【図４】
0003863667.tif 000005
【図５】
0003863667.tif 000006